(57)【特許請求の範囲】
【請求項１】
合成樹脂製スナップが長手方向適当間隔おきに一体成形された帯状布を長手方向と平行に且つスナップ背面側へ二つ折りすると共に、相対向する表裏の帯状布片どうしを、スナップ位置よりも折り返し辺と反対側の位置において線状に縫着し、縫着線よりも外側に、衣服の端縁を挟み込んで縫着する表裏一対の縫い代用帯状布片を形成してあることを特徴とする衣服用テープ状スナップ止め具。
【請求項２】
表裏一対の縫い代用帯状布の幅が略同一であることを特徴とする請求項１に記載の衣服用テープ状スナップ止め具。
【請求項３】
表裏一対の縫い代用帯状布の幅が異なることを特徴とする請求項１に記載の衣服用テープ状スナップ止め。
【請求項４】
表裏一対の縫い代用帯状布が内側に折り返されていることを特徴とする請求項１〜３の何れかに記載の衣服用テープ状スナップ止め具。
【発明の詳細な説明】
【０００１】
【発明の属する技術分野】
本発明は、衣服用テープ状スナップ止め具に関する。
【０００２】
【従来の技術】
例えば、胸元から足先まで連続して開閉できるベビー用カバーオールのような衣服では、開閉端縁（打合せ部）の長さが長く、衣服一着あたり、かなりの数のスナップファスナーが使用されている。
【０００３】
ところが、従来では、ベビー用カバーオールの形状に縫製した後で、開閉端縁（打合せ部）にスナップファスナーを取り付けていたため、スナップファスナー打ち機として、取付け対象である布地を一方向に間欠的に送りつつスナップファスナーを取り付けるような自動機を使用することができず、足踏み式スナップファスナー打ち機による手作業となるため、スナップファスナーの取付けに多くの手間を要し、生産性が著しく低かった。
【０００４】
殊に、スナップファスナーの取付けを一個ずつ手作業で行う都合上、開閉端縁（打合せ部）の両側に相対向して取り付けられる雄型スナップと雌型スナップの位置や間隔が狂わないように、予め、衣服表面のスナップ取付け位置にサインペン等で目印を付け、この目印に合わせてスナップファスナーを打ち込むことが必要とされ、その結果、白色や黄色など、薄い色の合成樹脂製スナップファスナーを使用した場合、スナップファスナーが取り付けられた状態において、衣服表面に記された目印がリベット部材の頭部から透けて見えることがあり、商品価値を低下させる一因となっていた。
【０００５】
ところで、射出成形法により、多数の合成樹脂製スナップを帯状布の幅方向略中心部に長手方向適当間隔おきに一体成形して構成される衣服用テープ状スナップ止め具は、既に知られている。この衣服用テープ状スナップ止め具は、帯状布をスナップ間の位置で任意長さに切断し、衣服の開閉端縁（打合せ部）の両側に相対向する状態に縫い着けて使用するものである。
【０００６】
衣服用テープ状スナップ止め具は、上記の問題の解決策として、非常に有効な筈であるが、実際には、殆ど使用されていない。これは、ベビー用カバーオールのような衣服では、デザイン的な美しさ、かわいらしさといった外観が特に重視されているにもかかわらず、衣服用テープ状スナップ止め具を、衣服の開閉端縁（打合せ部）に縫い着けたとき、衣服用テープ状スナップ止め具の帯状布が目に付いて非常に不体裁であり、衣服の開閉端縁（打合せ部）に直接、スナップファスナーを取り付けたような美麗な外観が得られないからである。
【０００７】
【発明が解決しようとする課題】
上記の現状に鑑み、本発明は、ベビー用カバーオール等の衣服を能率良く、しかも、美麗な外観に生産できるようにすることを課題とする。
【０００８】
【課題を解決するための手段】
上記の課題を解決するために、本発明が講じた技術的手段は、次のとおりである。即ち、本発明による衣服用テープ状スナップ止め具は、合成樹脂製スナップが長手方向適当間隔おきに一体成形された帯状布を長手方向と平行に且つスナップ背面側へ二つ折りすると共に、相対向する表裏の帯状布片どうしを、スナップ位置よりも折り返し辺と反対側の位置において線状に縫着し、縫着線よりも外側に、衣服の端縁を挟み込んで縫着する表裏一対の縫い代用帯状布片を形成してあることをとしている。
【０００９】
上記の構成によれば、衣服用テープ状スナップ止め具の製造工程においては、雌雄スナップの取付け対象が衣服（ベビー用カバーオール等）の形状をしていない単純なテープ状の布地であるため、テープ状の布地を金型間に間欠的に送りつつスナップファスナーを複数個ずつ射出成形する従来通りの製造方法が可能であり、予め製造した衣服用テープ状スナップ止め具を衣服の所定位置にミシンで縫い着けることによって、製品となるので、ベビー用カバーオール等の形状に縫製した後で、開閉端縁（打合せ部）にスナップファスナーを取り付ける場合に比して、生産性を著しく高めることができる。
【００１０】
しかも、衣服用テープ状スナップ止め具には、縫着線よりも外側に表裏一対の縫い代用帯状布片を形成してあり、この縫い代用帯状布片間に、衣服の布地端縁を挟み込んで縫着するようにしたので、帯状布として、衣服のとも生地（衣服と同じ布地）を使用することにより、衣服の縫製後にスナップファスナーを取り付けた従来製品に比較して遜色ない自然で美麗な外観を確保できるのである。
【００１１】
尚、表裏一対の縫い代用帯状布は、それらの幅を互いに略同一に設定してもよく、表側（又は裏側）の縫い代用帯状布の幅を、裏側（又は表側）の縫い代用帯状布の幅よりも広く設定してもよい。また、表裏一対の縫い代用帯状布は、衣服の布地端縁を挟み込んで縫着する際、縫い代用帯状布の自由端縁を内側に折り返して縫着したり、衣服用テープ状スナップ止め具の製造時点で、予め自由端縁を内側に折り返して縫着しておくことが望ましい。
【００１２】
【発明の実施の形態】
図１は、雄型の衣服用テープ状スナップ止め具１を示し、図４は、雌型の衣服用テープ状スナップ止め具１を示す。これらの衣服用テープ状スナップ止め具１は、幅方向中心よりも片側に偏った位置に合成樹脂製スナップ２が長手方向適当間隔おきに一体成形された帯状布３を長手方向と平行に且つスナップ２背面側へ二つ折りすると共に、相対向する表裏の帯状布片３ａ，３ｂどうしを、スナップ２位置よりも折り返し辺４と反対側の位置において線状に縫着し、縫着線５よりも外側に、衣服の端縁を挟み込んで縫着する表裏一対の縫い代用帯状布片６ａ，６ｂを形成したものである。
【００１３】
雄型の衣服用テープ状スナップ止め具１と、雌型の衣服用テープ状スナップ止め具１とは、スナップ２の形状が雌雄異なるだけであり、実質的に同じ構造であるから、雄型の衣服用テープ状スナップ止め具１についてのみ、図面を参照しつつ、製造方法を説明すると、図２のＡに示すように、帯状布３を金型７ａ，７ｂ間に挟んだ状態で、金型７ａ，７ｂ内に合成樹脂を注入し、図２のＢに示すように、金型７ａ，７ｂを互いに分離して脱型した後、図２のＣに示すように、帯状布３をスナップ２背面側に折り返し、スナップ２位置よりも折り返し辺４と反対側の位置において線状にミシンで縫着し、縫着線５よりも外側に、図３に示すように、表裏一対の縫い代用帯状布片６ａ，６ｂを形成し、衣服用テープ状スナップ止め具１とするものである。
【００１４】
上記の構成によれば、衣服用テープ状スナップ止め具１の製造工程においては、雌雄スナップ２の取付け対象が衣服（ベビー用カバーオール等）の形状をしていない単純なテープ状の布地であるため、テープ状の布地を金型間に間欠的に送りつつスナップファスナーを複数個ずつ射出成形する従来通りの製造方法が可能であり、予め製造した衣服用テープ状スナップ止め具１を、図５に示すように、衣服８の所定位置にミシンで縫い着けることによって、製品となるので、ベビー用カバーオール等の形状に縫製した後で、開閉端縁（打合せ部）にスナップファスナーを取り付ける場合に比して、生産性を著しく高めることができる。
【００１５】
しかも、衣服用テープ状スナップ止め具１には、縫着線５よりも外側に表裏一対の縫い代用帯状布片６ａ，６ｂを形成してあり、図６、図７に示すように、縫い代用帯状布片６ａ，６ｂ間に、衣服８の布地端縁８ａを挟み込んで縫着９するようにしたので、帯状布として、衣服８のとも生地（衣服と同じ布地）を使用することにより、衣服の縫製後にスナップファスナーを取り付けた従来製品に比較して遜色ない自然で美麗な外観を確保できるのである。
【００１６】
図１〜図７で示した衣服用テープ状スナップ止め具１では、表裏一対の縫い代用帯状布６ａ，６ｂが各々一重になっているが、図８に示すように、衣服８の布地端縁８ａを挟み込んで縫着する際、縫い代用帯状布６ａ，６ｂの自由端縁を内側に折り返して縫着したり、衣服用テープ状スナップ止め具１の製造時点で、予め自由端縁を内側に折り返して縫着するようにしてもよい。
【００１７】
また、図１〜図８で示した衣服用テープ状スナップ止め具１では、表裏一対の縫い代用帯状布６ａ，６ｂの幅を互いに略同一に設定してあるが、図９のＡ，Ｂに示すように、表側（又は裏側）の縫い代用帯状布６ａ（６ｂ）の幅を、裏側（又は表側）の縫い代用帯状布６ｂ（６ａ）の幅よりも広く設定してもよい。尚、図９のＡ，Ｂで示した衣服用テープ状スナップ止め具１では、表裏一対の縫い代用帯状布６ａ，６ｂの自由端縁を予め内側に折り返して縫着してあるが、縫い代用帯状布６ａ，６ｂの何れか一方又は双方を一重に形成してもよい。
【００１８】
また、上述した何れの実施形態においても、必要であれば、図１０に示すように、スナップ２位置と折り返し辺４との間において、表裏の帯状布片３ａ，３ｂどうしを、例えば直線状に、ミシンで縫い着け、縫目部分１０で帯状布片３ａ，３ｂどうしの膨らみを抑制するようにしてもよい。
【００１９】
【発明の効果】
本発明は、上述した構成よりなり、本発明の衣服用テープ状スナップ止め具を使用することにより、ベビー用カバーオール等の衣服を能率良く、しかも、美麗な外観に生産できる効果がある。
【図面の簡単な説明】
【図１】雄型の衣服用テープ状スナップ止め具の斜視図である。
【図２】衣服用テープ状スナップ止め具の製造方法を説明する図である。
【図３】雄型の衣服用テープ状スナップ止め具の断面図である。
【図４】雌型の衣服用テープ状スナップ止め具の斜視図である。
【図５】使用状態を示すベビー用カバーオールの斜視図である。
【図６】使用状態を示す要部の斜視図である。
【図７】使用状態を示す要部の断面図である。
【図８】他の実施の形態を示す断面図である。
【図９】他の実施の形態を示す断面図である。
【図１０】他の実施の形態を示す斜視図である。
【符号の説明】
１…衣服用テープ状スナップ止め具、２…スナップ、３…帯状布、３ａ，３ｂ…帯状布片、４…折り返し辺、５…縫着線、６ａ，６ｂ…表裏一対の縫い代用帯状布片。
【図１】
0004074404.tif 000002
【図２】
0004074404.tif 000003
【図３】
0004074404.tif 000004
【図４】
0004074404.tif 000005
【図５】
0004074404.tif 000006
【図６】
0004074404.tif 000007
【図７】
0004074404.tif 000008
【図８】
0004074404.tif 000009
【図９】
0004074404.tif 000010
【図１０】
0004074404.tif 000011